(57)【要約】【課題】  本発明は、接眼検知センサーを有し、かつ撮影した画像を表示する機能を表示するデジタルカメラにおいて、撮影後の画像表示を行うタイミングを制御する方法に関するものである。【解決手段】  本発明によれば、撮影者は、レリーズスイッチを操作したままファインダーから離眼することで撮影条件の確認を行い、また、レリーズスイッチを無効にし、ファインダーから離眼することでクイックレビューを表示させることで、撮影者の期待通りにクイックレビューを表示することを可能にする。【選択図】  図１
2007336447.tif 000002
【特許請求の範囲】
【請求項１】
撮影者が被写体を確認するためのファインダーと、ファインダーに対する撮影者の接眼状態と非接眼状態を検知する接眼検知手段と、撮影の準備開始をカメラに知らせる撮影準備スイッチと、画像データを生成する撮像手段と、撮像画像を表示する画像表示手段と、撮影後に直前の撮影画像を表示させる制御手段を有するデジタルカメラにおいて、撮影者がファインダーに非接眼状態かつ、撮影準備スイッチ無効の場合に、前記直前の撮影画像を表示させる制御手段を実行する構成のデジタルカメラ。
【請求項２】
請求項１に記載のデジタルカメラにおいて、撮影者がファインダーに接眼状態または、撮影準備スイッチ有効の場合に、直前の撮影画像を表示させる状態を終了させる構成のデジタルカメラ。
【発明の詳細な説明】
【技術分野】
【０００１】
本発明は、接眼検知センサーを有し、かつ撮影した画像を表示する機能を表示するデジタルカメラにおいて、撮影後の画像表示を行うタイミングを制御する方法に関するものである。
【背景技術】
【０００２】
撮影した画像を記録媒体に保存し、かつ撮影した画像を表示することが可能なデジタルカメラにおいて、撮影終了時に、自動的に直前に撮影した画像を一定時間表示するクイックレビュー機能を有するものがある。
【０００３】
また、接眼検知センサーを有するデジタルカメラでは、撮影後に接眼状態を検知し、離眼状態であればクイックレビューを行うものがある。
【０００４】
上記の制御方法として、特開２００３−３０９７４５がある。
【特許文献１】特開２００３−３０９７４５号公報
【発明の開示】
【発明が解決しようとする課題】
【０００５】
しかし、上述した従来の表示制御方法では次のような問題がある。
【０００６】
撮影者が、画像確認ではなく、撮影条件の確認を行うために、ファインダーから離眼してもクイックレビュー表示がされてしまい、撮影条件の情報が消えてしまうために確認を行うことができないことがある。そのため、次の撮影操作が行えなくなり、撮影の機会を逃す可能性がある。
【０００７】
そこで本発明は、上記のような問題を解決するためになされたもので、クイックレビュー表示を撮影者が期待する適切なタイミングで行うことを目的としている。
【課題を解決するための手段】
【０００８】
前記目的を達成するために、本発明によるデジタルカメラは、撮影者がファインダーから離眼し、かつ、撮影の準備をカメラに指示するレリーズスイッチが操作されていない場合にのみ、クイックレビューを表示する構成になっている。
【発明の効果】
【０００９】
前記構成によれば、撮影者は、レリーズスイッチを操作したままファインダーから離眼することで撮影条件の確認を行い、また、レリーズスイッチを無効にした上でファインダーから離眼することでクイックレビューを表示させることができ、撮影者の期待通りにクイックレビューを表示することを可能にする。
【発明を実施するための最良の形態】
【００１０】
（実施例１）
以下、図面に基づいて本発明の第１の実施例を説明する。
【００１１】
図１に本発明の実施の形態に係る電子カメラの回路構成を示すブロック図を示す。
【００１２】
図１において、１は撮像光学系、２はＣＣＤ等の撮像素子（光電変換素子）、３は撮像して得られたアナログ画像信号をデジタル信号に変換するＡ／Ｄ変換回路、４はガンマ補正等の公知の画像処理を行うプロセス回路、５は画像データの圧縮・伸長を行い、外部メモリからの信号の授受を行うメモリ制御部（記録再生部）、６は画像の展開やカメラの制御に使用するメモリ、７は画像を記録する外部メモリ、８は画像表示用のメモリ（バッファメモリ）、９は撮像画像を表示するモニタ表示部、１１はカメラ操作スイッチ、１２はＣＰＵ等からなるシステム制御回路、１３は露出や測距を行う撮像光学系の制御装置、１４はシャッター速度や絞り値等を表示する撮影情報表示部、１５はファインダーへの接眼を検知するためのセンサーである。
【００１３】
次に、上記構成の電子カメラの動作について説明する。
【００１４】
始めに、撮影者によるカメラ操作スイッチ１１（カメラのメインＳＷ、レリーズＳＷ、操作ボタン等で構成）の状態変化をシステム制御回路１２が検出し、他の各回路ブロックへの電源供給を開始する。そして、一定間隔ごとに撮像光学系１とその制御装置１３によりシステム制御回路がシャッター速度や絞り値等を決定し、画像の撮影を行う条件を表示するための情報表示部１４に表示を行う。
【００１５】
また、撮影者が前記レリーズＳＷの操作により撮影動作を行った場合には、全体制御回路１２からの制御信号によって、撮像光学系１が作動し、撮像素子２上に結像する。この撮像素子２からの電気信号は、各画素毎に順々にＡ／Ｄ変換回路３を通して所定のデジタル信号に変換された後、画像処理回路４へ入力される。この画像処理回路４では、撮像素子２の各画素データを基にＲＧＢの各色信号を生成する。次にこれら各画素データをメモリ６内に記憶し、続いてこのフレームメモリ６内のデータを、メモリ制御部５により所定の圧縮フォーマットに基づいてデータ圧縮し、その結果を外部メモリ７（通常フラッシュメモリ等の不揮発性メモリを使用）に記録する。
【００１６】
また、撮影者がカメラ操作スイッチ１１の操作により、撮影済みの画像データを表示する場合には、上記外部メモリ７に圧縮記憶されたデータをメモリ制御部５を通して通常の撮影画素毎のデータに伸長し、その結果を画像表示メモリ８へ転送することで、モニタ表示部９を通して行うことができる。
【００１７】
また、撮影動作終了後に限り、カメラ操作スイッチ１１を操作しなくても自動的に直前に撮影した画像を、一定時間、モニタ表示部９に表示する機能がある。この機能を、以下ではクイックレビューと呼ぶ。
【００１８】
図２は、本実施例による電子カメラの画像表示装置と撮影情報表示装置の配置を示す背面図である。
【００１９】
１はカメラ本体である。
【００２０】
２は画像の撮影を行う条件を表示するための撮影情報表示装置である。
【００２１】
３は画像の表示を行う画像表示装置である。
【００２２】
４は撮影動作を始めるためのレリーズＳＷである。レリーズＳＷは押し込む量によって２段階の状態を有する。１段階目の状態（以下半押し状態）では撮影条件を決定し、前記定期的な計算を開始する。２段階目の状態では、決定した撮影条件に基いて、画像撮影動作を開始する。
【００２３】
５は撮影条件を変更するための電子ダイアルである。
【００２４】
６は撮影済みの画像データを表示するための操作スイッチである。
【００２５】
７は画像を撮影する前に、被写体の確認を行うためのファインダーである。
【００２６】
８は撮影者がファインダーを覗いていることを検知するための接眼検知センサーであり、ファインダー７の近傍に配置する。
【００２７】
図３は、撮影終了後に、クイックレビューを実行する際に、画像を表示装置に表示する制御を説明するフローチャートである。
【００２８】
クイックレビューは、撮影動作が終了し、画像データの作成が終了した段階で実行可能になる。本フローチャートによって、画像を表示可能な状態になってからの制御について説明する。
【００２９】
まず、ステップ１で、レリーズＳＷが半押し状態であるかどうかの判定を行う。半押し状態であれば、撮影者が続けて撮影を行う可能性があるとして、画像表示を行わず、そのままの状態を維持する。レリーズＳＷがＯＦＦであれば、ステップ２へ進む。
【００３０】
ステップ２では接眼検知センサーにより撮影者がファインダーから離眼したかどうかの判定を行う。まだ接眼状態であれば、ステップ３へ進む。離目状態であれば、ステップ４へ進む。
【００３１】
ステップ３では、接眼状態でのレリーズＳＷの判定を行う。接眼状態で、かつレリーズＳＷＯＦＦのままであれば、ステップ２に戻り、再度接眼検知センサーによる判定を行う。接眼状態で、再度レリーズＳＷが半押し状態になった場合、撮影者が続けて撮影を行うと判断し、画像表示を行わずにクイックレビューを終了する。
【００３２】
ステップ４では、レリーズＳＷがＯＦＦされ、かつ離眼した状態であり、クイックレビューを実行し、画像の表示を行い、ステップ５に進む。
【００３３】
ステップ５では、クイックレビューの表示から、あらかじめ定められた時間を経過したかどうかの判断を行い、時間が経過していればステップ６に進み、画像表示を消してクイックレビューを終了する。まだ時間が経過していなければ、ステップ７に進む。
【００３４】
ステップ７では、クイックレビュー表示中状態でのレリーズＳＷが半押し状態であるかどうかの判定を行う。レリーズＳＷが半押し状態であれば、撮影者が撮影のためにクイックレビューを終了させたと判断し、ステップ６に進み、画像表示を消してクイックレビューを終了する。レリーズＳＷがＯＦＦであれば、ステップ８に進む。
【００３５】
ステップ８では、クイックレビュー表示中状態での接眼状態を判断する。離眼状態のままであれば、ステップ５に戻る。接岸状態であれば、撮影者がファインダーを覗いたと判断し、画像表示を消してクイックレビューを終了する。
【図面の簡単な説明】
【００３６】
【図１】本発明の実施例に係るカメラの回路構成を示すブロック図である。
【図２】図１のカメラの画像表示装置と撮影情報表示装置の配置を示す図である。
【図３】図１のカメラの各表示装置への表示制御を説明するフローチャートを示す図である。
【図１】
2007336447.tif 000003
【図２】
2007336447.tif 000004
【図３】
2007336447.tif 000005